(57)【特許請求の範囲】
【請求項１】
山の縦方向と垂直な地下原子力発電所の原子力アイランド型プラント空洞群の建設レイアウトであって、2個の原子炉プラント空洞(1)を含み、山の縦方向と垂直な前記2個の原子炉プラント空洞の中央軸の連結線を有し、結合空洞及び電気プラント空洞(2)は、前記2個の原子炉プラント空洞(1)各々の両側に夫々載置され、2個の結合空洞が端から端まで連結され、前記2個の結合空洞の配置方向は、前記2個の原子炉プラント空洞(1)の中央軸の連結線と平行であり、圧力開放空洞(7)が、各結合空洞と対応する前記電気プラント空洞(2)の間に載置され、前記2個の結合空洞において、空洞の外側は、二次通行トンネル(13)を介して前記2個の結合空洞の外側に載置される側方通行トンネル(14)と連結され、前記側方通行トンネル(14)の両端は、山の縦方向に配置される第1主通行トンネル(8)及び第3主通行トンネル(10)と連結され、前記第1主通行トンネル(8)及び第3主通行トンネル(10)は、前記2個の結合空洞の両端面の端面外部夫々に載置され、第2主通行トンネル(9)は、前記第1主通行トンネル(8)及び第3主通行トンネル(10)の間において、前記山の縦方向に配置されるとともに、前記2個の連結された結合空洞の中間部分に連結され、前記第1主通行トンネル(8)、第2主通行トンネル(9)、及び第3主通行トンネル(10)は、夫々地表と連通し、原子力アイランド型プラント空洞群は、前記原子炉プラント空洞(1)と、結合空洞と、電気プラント空洞(2)と、圧力開放空洞(7)により形成され、前記原子力アイランド型プラント空洞群の各空洞の上側アーチのスキューバック又は端壁は、建設の際に機能する上側坑道システムを介して、地表と連通し、前記原子力アイランド型プラント空洞群の各空洞の側壁下側又は端壁下側は、前記第1主通行トンネル(8)、第2主通行トンネル(9)、及び第3主通行トンネル(10)と、スラグ排出管路として作用する下側坑道システムを介して連通する、山の縦方向と垂直な地下原子力発電所の原子力アイランド型プラント空洞群の建設レイアウト。
【請求項２】
前記上側坑道システムは、第1主坑道(41)と、第1原子炉プラント空洞の上側坑道(42)と、第2原子炉プラント空洞の上側坑道(43)と、第2主坑道(31)と、第3主坑道(32)と、第4主坑道(33)と、前記電気プラント空洞の上側坑道(34)と、第1圧力開放空洞の上側坑道(35)と、第2圧力開放空洞の上側坑道(36)を含み、前記第1主坑道(41)と、第2主坑道(31)と、第3主坑道(32)と、第4主坑道(33)は、前記山の縦方向に配置されるとともに、地表と連通し、前記第1主坑道(41)の高度は、前記第2主坑道(31)の高度、第3主坑道(32)の高度、第4主坑道(33)の高度よりも高く、前記第1主坑道(41)は、前記2個の原子炉プラント空洞(1)の上側アーチのスキューバックと、前記第1原子炉プラント空洞の上側坑道(42)及び前記第2原子炉プラント空洞の上側坑道(43)夫々を介して連結され、前記第2主坑道(31)及び第4主坑道(33)は、2個の連結された前記結合空洞の両端の上側アーチ端壁と連結され、前記第3主坑道(32)は、2個の連結された前記結合空洞の中間部分の上側アーチのスキューバックと連結され、前記第3主坑道(32)の中央部分は分岐して、前記電気プラント空洞の2個の上側坑道(34)を形成し、前記2個の電気プラント空洞(2)の上側アーチの端壁と連結され、前記第3主坑道(32)は分岐して、前記第1圧力開放空洞の上側坑道(35)を形成し、前記第1圧力開放空洞(7)の上側アーチのスキューバックと連結され、第４主坑道(33)は分岐して、前記第2圧力開放空洞の上側坑道(36)を形成し、前記第2圧力開放空洞(7)の上側アーチのスキューバックと連結され、前記第1圧力開放空洞の上側坑道(35)は、前記電気プラント空洞の上側坑道(34)及び結合空洞の間に載置される、請求項１の山の縦方向と垂直な地下原子力発電所の原子力アイランド型プラント空洞群の建設レイアウト。
【請求項３】
前記上側坑道システムの各上側坑道は、9%よりも小さい長手状傾斜を有する、請求項２の山の縦方向と垂直な地下原子力発電所の原子力アイランド型プラント空洞群の建設レイアウト。
【請求項４】
前記下側坑道システムは、前記第1原子炉プラント空洞の下側坑道(21)と、第1結合空洞の端部分の下側坑道(22)と、第1電気プラント空洞の下側坑道(23)と、前記2個の連結された結合空洞の中間部分の下側坑道(24)と、前記第1圧力開放空洞の下側坑道(25)と、第2原子炉プラント空洞の下側坑道(26)と、前記第2圧力開放空洞の下側坑道(27)と、第2結合空洞の端部の下側坑道(28)と、第2電気プラント空洞の下側坑道(29)を含み、前記第1主通行トンネル(8)の中央部分は分岐して、前記第1電気プラント空洞の下側坑道(23)を形成し、前記第1電気プラント空洞(2)の端壁に連結され、前記第2主通行トンネル(9)の中央部分は分岐して、前記第2電気プラント空洞の下側坑道(29)を形成し、前記第2電気プラント空洞(2)の端壁と連結され、前記第2主通行トンネル(9)は前記第1原子炉プラント空洞(1)の側壁下側及び前記第1圧力開放空洞(7)の下側と、前記第1原子炉プラント空洞の下側坑道(21)及び前記第1圧力開放空洞の下側坑道(25)夫々を介して連結され、前記第3主通行トンネル(10)は、前記第2原子炉プラント空洞(1)の側壁下側及び前記第2圧力開放空洞(7)の下側と、前記第2原子炉プラント空洞の下側坑道(26)及び前記第2圧力開放空洞の下側坑道(27)夫々を介して連結され、前記第1主通行トンネル(8)は、前記2個の連結された結合空洞の一端の側壁下側と、前記第1結合空洞の端部の下側坑道(22)を介して連結され、前記第2電気プラント空洞の下側坑道(29)は、前記2個の連結された結合空洞の中間部分の側壁下側と、前記2個の連結された結合空洞の中間部分の下側坑道(24)を介して連結され、前記第2圧力開放空洞の下側坑道(27)は、前記2個の連結された結合空洞の他端の側壁下側と、第2結合空洞の端部の下側坑道(28)を介して連結される、請求項２の山の縦方向と垂直な地下原子力発電所の原子力アイランド型プラント空洞群の建設レイアウト。
【請求項５】
前記下側坑道システムの各下側坑道は、15%よりも小さい長手状傾斜を有する、請求項４の山の縦方向と垂直な地下原子力発電所の原子力アイランド型プラント空洞群の建設レイアウト。
【請求項６】
前記結合空洞は各々、長手方向に直列で連結される第1安全プラント空洞(3)と、核燃料プラント空洞(4)と、第2安全プラント空洞(5)と、原子力補助プラント空洞(6)を含み、第1結合空洞の原子力補助プラント空洞(6)は、前記第2結合空洞の第1安全プラント空洞(3)と連結され、前記第1結合空洞の端部の下側坑道(22)は、前記2個の連結された結合空洞の一端に載置される前記第1安全プラント空洞(3)の側壁下側と連結され、前記2個の連結された結合空洞の中間部分の下側坑道(24)は、前記2個の連結された結合空洞の中間部分に載置される原子力補助プラント空洞(6)の側壁下側と連結され、前記第2の連結結合空洞の端部の下側坑道(28)は、前記2個の連結された結合空洞の他端に載置される前記原子力補助プラント空洞(6)の側壁下側に連結され、前記第2主坑道(31)は、前記2個の連結される結合空洞の一端に載置された前記第1安全プラント空洞(3)の上側アーチ端壁と連結され、前記第4主坑道(33)は、前記2個の連結される結合空洞の中間部分に載置される前記原子力補助プラント空洞(6)の上側アーチ端壁と連結され、前記第3主坑道(32)は、前記2個の連結される結合空洞の他端に載置された前記原子力補助プラント空洞(6)の上側アーチの端壁と連結される、請求項４の山の縦方向と垂直な地下原子力発電所の原子力アイランド型プラント空洞群の建設レイアウト。
【請求項７】
前記2個の原子炉プラント空洞(1)各々は、対応する前記電気プラント空洞(2)と、地表と連通する一次蒸気管路(11)を介して連通し、前記2個の原子炉プラント空洞(1)には、地表と連通している対応する機器搬送管路(12)が設けられる、請求項１乃至６のいずれか一項に記載の山の縦方向と垂直な地下原子力発電所の原子力アイランド型プラント空洞群の建設レイアウト。
【発明の詳細な説明】
【技術分野】
【０００１】
本発明は、原子力発電計画の技術分野に関し、特に、山の縦方向と垂直な地下原子力発電所の原子力アイランド型プラント空洞群の建設レイアウトに関する。
【背景技術】
【０００２】
中国の第12次5か年計画（エネルギ計画）によれば、原子力発電所の建設を加速させることが提案されている。しかし、日本の福島での原子力事故の影響により、チェルノブイリ事故の影から抜け出そうとしていた世界中の原子力発電産業は、再度停滞することとなった。原子力発電計画の国家的な実験や承認は、より厳しく慎重になり、原子力発電所に対するより高い安全性が求められ、原子力発電所全体又はその一部が地下に配置されるという、新しいタイプの原子力発電所の建設レイアウトを開発することが、増々検討されている。
【０００３】
地下空洞群では、水力発電所の地下プラント空洞群は、比較的一般的である。地下原子力発電所の空洞群における計画規模は、水力発電所の空洞群と同程度である。しかし、地下原子力発電所は、永久的な管路がずっと少なく、また、山の掘削率がずっと高い。また、原子力発電所は、モジュール分割化が大きく必要とされるので、建設用坑道の配置が制限されてしまう。
【０００４】
建設用坑道が地下原子力発電所の空洞群に不適切に配置されると、主空洞の安定性と安全性に影響を及ぼし、建設に不都合が生じ、建設が遅れ、また投資が増加することとなる。
【発明の概要】
【発明が解決しようとする課題】
【０００５】
上述の課題に鑑み、本発明の目的は、山の縦方向と垂直な地下原子力発電所の原子力アイランド型プラント空洞群の建設レイアウトを提供することにある。本発明の建設レイアウトは、総距離が短く、安全、便利であり、低コストであり、モジュール化の程度が高いことを特徴とする。
【課題を解決するための手段】
【０００６】
上記の目的を達成するために、本発明の一実施形態に係り、山の縦方向と垂直な地下原子力発電所の原子力アイランド型プラント空洞群の建設レイアウトを提供する。本レイアウトは、２個の原子炉プラント空洞を含み、山の縦方向と垂直な２個の原子炉プラント空洞の中央軸の連結線を有する。結合空洞及び電気プラント空洞は、２個の原子炉プラント空洞各々の両側に夫々載置される。２個の結合空洞は、端から端まで連結され、２個の結合空洞の配置方向は、２個の原子炉プラント空洞の中央軸の連結線と平行である。圧力開放空洞が、各結合空洞と対応する電気プラント空洞の間に載置される。2個の結合空洞において、空洞の外側は、二次通行トンネルを介して2個の結合空洞の外側に載置される側方通行トンネルと連結される。側方通行トンネルの両端は、山の縦方向に配置される第1主通行トンネル及び第3主通行トンネルと連結される。第1主通行トンネル及び第3主通行トンネルは、2個の結合空洞の両端面の外部に夫々載置される。第2主通行トンネルは、第1主通行トンネル及び第3主通行トンネルの間において、山の縦方向に配置されるとともに、2個の連結された結合空洞の中間部分に連結される。第1主通行トンネル、第2主通行トンネル、及び第3主通行トンネルは、夫々地表と連通する。原子力アイランド型プラント空洞群は、原子炉プラント空洞と、結合空洞と、電気プラント空洞と、圧力開放空洞により形成される。原子力アイランド型プラント空洞群の各空洞の上側アーチのスキューバック又は端壁は、建設の際に機能する上側坑道システムを介して、地表と連通する。原子力アイランド型プラント空洞群の各空洞の側壁下側又は端壁下側は、第1主通行トンネル、第2主通行トンネル、及び第3主通行トンネルと、スラグ排出管路として作用する下側坑道システムを介して連通する。
【０００７】
上側坑道システムは、第1主坑道と、第1原子炉プラント空洞の上側坑道と、第2原子炉プラント空洞の上側坑道と、第2主坑道と、第3主坑道と、第4主坑道と、電気プラント空洞の上側坑道と、第1圧力開放空洞の上側坑道と、第2圧力開放空洞の上側坑道を含む。第1主坑道と、第2主坑道と、第3主坑道と、第4主坑道は、山の縦方向に配置されるとともに、地表と連通する。第1主坑道の高度は、第2主坑道の高度、第3主坑道の高度、第4主坑道の高度よりも高い。第1主坑道は、2個の原子炉プラント空洞の上側アーチのスキューバックと、第1原子炉プラント空洞の上側坑道及び第2原子炉プラント空洞の上側坑道夫々を介して連結される。第2主坑道及び第4主坑道は、2個の連結された結合空洞両端の上側アーチ端壁と連結される。第3主坑道は、2個の連結された結合空洞の中間部分の上側アーチのスキューバックと連結される。第3主坑道の中央部分は分岐して、電気プラント空洞の2個の上側坑道を形成し、2個の電気プラント空洞の上側アーチの端壁と連結される。第3主坑道は分岐して、第1圧力開放空洞の上側坑道を形成し、第1圧力開放空洞の上側アーチのスキューバックと連結される。第４主坑道は分岐して、第2圧力開放空洞の上側坑道を形成し、第2圧力開放空洞の上側アーチのスキューバックと連結される。第1圧力開放空洞の上側坑道は、電気プラント空洞の上側坑道及び結合空洞の間に載置される。
【０００８】
上側坑道システムの各上側坑道は、9%よりも小さい長手状を有する。
【０００９】
下側坑道システムは、第1原子炉プラント空洞の下側坑道と、第1結合空洞端部の下側坑道と、第1電気プラント空洞の下側坑道と、２個の連結された結合空洞の中間部分の下側坑道と、第1圧力開放空洞の下側坑道と、第2原子炉プラント空洞の下側坑道と、第2圧力開放空洞の下側坑道と、第2結合空洞端部の下側坑道と、第2電気プラント空洞の下側坑道を含む。第1主通行トンネルの中央部分は分岐して、第1電気プラント空洞の下側坑道を形成し、第1電気プラント空洞の端壁に連結される。第2主通行トンネルの中央部分は分岐して、第2電気プラント空洞の下側坑道を形成し、第2電気プラント空洞の端壁と連結される。第2主通行トンネルは第1原子炉プラント空洞の側壁下側及び第1圧力開放空洞下側と、第1原子炉プラント空洞の下側坑道及び第1圧力開放空洞の下側坑道夫々を介して連結される。第3主通行トンネルは、第2原子炉プラント空洞の側壁下側及び第2圧力開放空洞の下側と、第2原子炉プラント空洞の下側坑道及び第2圧力開放空洞の下側坑道夫々を介して連結される。第1主通行トンネルは、2個の連結された結合空洞の一端の側壁下側と、第1結合空洞の端部の下側坑道を介して連結される。第2電気プラント空洞の下側坑道は、２個の連結された結合空洞の中間部分の側壁下側と、2個の連結された結合空洞の中間部分の下側坑道を介して連結される。第2圧力開放空洞の下側坑道は、2個の連結された結合空洞の他端の側壁下側と、第2結合空洞端部の下側坑道を介して連結される。
【００１０】
下側坑道システムの各下側坑道は、15%よりも小さい長手状傾斜を有する。
【００１１】
結合空洞は各々、長手方向に直列で連結される第1安全プラント空洞と、核燃料プラント空洞と、第2安全プラント空洞と、原子力補助プラント空洞を含む。第1結合空洞の原子力補助プラント空洞は、第2結合空洞の第1安全プラント空洞と連結される。第1結合空洞の端部の下側坑道は、2個の連結された結合空洞の一端に載置され、第1安全プラント空洞の側壁下側と連結される。2個の連結された結合空洞の中間部分の下側坑道は、2個の連結された結合空洞の中間部分に載置される原子力補助プラント空洞の側壁下側と連結される。第2結合空洞の端部の下側坑道は、2個の連結された結合空洞の他端に載置される原子力補助プラント空洞の側壁下側に連結される。第2主坑道は、2個の連結される結合空洞の一端に載置された第1安全プラント空洞の上側アーチ端壁に連結される。第4主坑道は、2個の連結される結合空洞の中間部分に載置される原子力補助プラント空洞の上側アーチ端壁と連結される。第3主坑道は、2個の連結される結合空洞の他端に載置された原子力補助プラント空洞の上側アーチの端壁と連結される。
【００１２】
2個の原子炉プラント空洞各々は、対応する電気プラント空洞と、地表と連通する一次蒸気管路を介して連通する。また、2個の原子炉プラント空洞には、地表と連通している対応する機器搬送管路が設けられる。
【発明の効果】
【００１３】
本発明では、高度±0の主通行トンネルは、スラグ排出管路としてプラント空洞の下側坑道を建設するとともに、地表と連通する建設管路としてプラント空洞の上側坑道を建設するために、完全利用されるので、プラント空洞の建設は、鉱石立坑法に係り最も少ない建設管路を使用して組織化することができる（鉱石立坑法とは、掘削領域における上側坑道と下側坑道の間の垂直方向にスラグ排出用立坑を配置し、上側坑道を建設管路として使用し、建設の際に生成されるスラグをスラグ排出立坑を介して下側坑道へ導入して、スラグを建設現場の外へ運び出す方法のことを指す）。各プラント空洞には、下側坑道及び上側坑道のみが設けられる。上側坑道システムはプラントの上側アーチと連通し、下側坑道システムはプラントの壁部下側と連通する。圧力開放空洞の下側の高度と主通行トンネルの高度の高度差は20ｍに達し、適切な傾斜を有する下側坑道を配置するのは困難であるので、圧力開放空洞の下側坑道は最初に圧力開放空洞の軸と水平方向に連結され、次に、スラグ排出立坑を配置することにより、圧力開放空洞の下側と連結される。
【００１４】
原子力補助プラント空洞、第2安全プラント空洞、核燃料プラント空洞、第1安全プラント空洞により形成される結合空洞の下層に配置された下側坑道は、全て主通行トンネルと連通する。原子力補助プラント空洞、第2安全プラント空洞、核燃料プラント空洞、第1安全プラント空洞、原子炉プラント空洞、電気プラント空洞、圧力開放空洞により形成される結合空洞の上層に配置された上側坑道は、全て第2主通行トンネル、第3主通行トンネル、第4主通行トンネルと連通する。
【００１５】
最も高い上側アーチを備えることにより、原子炉プラント空洞は、垂直面又は水平面のいずれかで、共通の建設管路を他の空洞と共有することができないので、独立した第1主坑道が配置される。第1主坑道は分岐して、2個の原子炉プラント空洞のスキューバックと夫々連結される２個の原子炉プラント空洞の2個の上側坑道を形成する。
【００１６】
本発明の建設レイアウトによれば、鉱石立坑法により、配置される建設管路は最も少なくてすむ。本発明の建設レイアウトは短く、安全、経済的であり、高度にモジュール化され、建設に都合が良いことから、一般的な建設要件を満たすものである。
【図面の簡単な説明】
【００１７】
【図１】山の縦方向と垂直な地下原子力発電所の原子力アイランド型プラント空洞群の建設レイアウトであって、下側坑道システムを示す構造図。
【図２】山の縦方向と垂直な地下原子力発電所の原子力アイランド型プラント空洞群の建設レイアウトであって、結合空洞、電気プラント空洞、及び圧力開放空洞と関連する上側坑道システムを示す構造図。
【図３】山の縦方向と垂直な地下原子力発電所の原子力アイランド型プラント空洞群の建設レイアウトであって、原子炉プラント空洞と関連する上側坑道システムを示す構造図。
【発明を実施するための形態】
【００１８】
本発明の建設レイアウトについて詳述する実施形態を、以下に記載する。当然のことながら、以下の実施形態は本発明の説明を目的とするものであり、本発明を限定するものではない。
【００１９】
図１〜３に示すように、山の縦方向と垂直な地下原子力発電所の原子力アイランド型プラント空洞群の建設レイアウトは、原子炉プラント空洞1と、結合空洞と、電気プラント空洞2と、圧力開放空洞7と、第1主通行トンネル8と、第2主通行トンネル9と、第3主通行トンネル10と、上側坑道システムと、下側坑道システムと、一次蒸気管路11と、機器搬送管路12と、二次通行トンネル13と、側方通行トンネル14を含む。
【００２０】
2個の原子炉プラント空洞1が設けられる。2個の原子炉プラント空洞1の中央軸の接続線は、山の縦方向と垂直である。結合空洞及び電気プラント空洞2は、2個の原子炉プラント空洞1各々の両側に夫々載置される。2個の結合空洞は端から端まで連結されており、2個の結合空洞の配置方向は、2個の原子炉プラント空洞1の中央軸の接続線と平行とされる。圧力開放空洞7が各結合空洞と対応する電気プラント空洞2の間に載置される。2個の結合空洞において、空洞の外側は、二次通行トンネル13を介して、2個の結合空洞の外側に載置される側方通行トンネル14と連結される。側方通行トンネル14の両端は、山の縦方向に配置される第1主通行トンネル8及び第3主通行トンネル10と連結される。第1主通行トンネル8及び第3主通行トンネル10は、2個の結合空洞の2個の端面の外部に載置される。第2主通行トンネル9は、第1主通行トンネル8及び第3主通行トンネル10の間において、山の縦方向に配置されるとともに、2個の連結された結合空洞の中間部分と連結される。第1主通行トンネル8、第2主通行トンネル9、第3主通行トンネル10各々は、地表と連通している。原子力アイランド型プラント空洞群は、原子炉プラント空洞1と、結合空洞と、電気プラント空洞2と、圧力開放空洞7により形成される。原子力アイランド型プラント空洞群の各空洞の上側アーチのスキューバック又は端壁は、建設の際に機能する上側坑道システムを介して、地表と連通する。また、原子力アイランド型プラント空洞群の各空洞の側壁下側又は端壁下側は、第1主通行トンネル8、第2主通行トンネル9、第3主通行トンネル10と、スラグ排出管路として機能する下側坑道システムを介して連通する。
【００２１】
各結合空洞は、直列となるように長手方向に連結される第1安全プラント空洞3と、核燃料プラント空洞4と、第2安全プラント空洞5と、原子力補助プラント空洞6を含む。第1結合空洞の原子力補助プラント空洞6は、第2結合空洞の第1安全プラント空洞3と連結される。
【００２２】
上側坑道システムは、第1主坑道41と、原子炉プラント空洞の上側坑道42と、第2原子炉プラント空洞の上側坑道43と、第2主坑道31と、第3主坑道32と、第4主坑道33と、電気プラント空洞の上側坑道34と、第1圧力開放空洞の上側坑道35と、第2圧力開放空洞の上側坑道36を含む。第1主坑道41、第2主坑道31、第3主坑道32、第4主坑道33は、山の縦方向に配置されるとともに、地表と連通する。第1主坑道41の高度は、第2主坑道31の高度、第3主坑道32の高度、第4主坑道33の高度よりも高い。第1主坑道41は、2個の原子炉プラント空洞1の上側アーチのスキューバックと、第1原子炉プラント空洞の上側坑道42及び第2原子炉プラント空洞の上側坑道43夫々を介して連結される。第2主坑道31は、2個の連結された結合空洞の一端に載置される第1安全プラント空洞3の上側アーチの端壁に連結される。第4主坑道33は、2個の連結された結合空洞の中間部分に載置される原子力補助プラント空洞6の上側アーチの端壁と連結される。第3主坑道32は、2個の連結された結合空洞の他端に載置される原子力補助プラント空洞6の上側アーチの端壁と連結される。第3主坑道32の中央部分は分岐して、電気プラント空洞の2個の上側坑道34を形成し、2個の電気プラント空洞2の上側アーチの端壁と連結される。前記第3主坑道(32)は分岐して、前記第1圧力開放空洞の上側坑道(35)を形成し、前記第1圧力開放空洞(7)の上側アーチのスキューバックと連結される。第4主坑道33は分岐して、第2圧力開放空洞の上側坑道36を形成し、第2圧力開放空洞7の上側アーチのスキューバックと連結される。第1圧力開放空洞の上側坑道35は、電気プラント空洞の上側坑道34及び結合空洞の間に載置される。上側坑道システムの各上側坑道は、9%よりも小さい長手状傾斜を有しており、無軌道搬送要件を満たしている。
【００２３】
下側坑道システムは、第1原子炉プラント空洞の下側坑道21と、第1結合空洞の端部の下側坑道22と、第1電気プラント空洞の下側坑道23と、2個の連結された結合空洞の中間部分の下側坑道24と、第1圧力開放空洞の下側坑道25と、第2原子炉プラント空洞の下側坑道26と、第2圧力開放空洞の下側坑道27と、第2結合空洞の端部の下側坑道28と、第2電気プラント空洞の下側坑道29を含む。第1主通行トンネル8の中央部分は分岐して、第1電気プラント空洞の下側坑道23を形成し、第1電気プラント空洞2の端壁と連結される。第2主通行トンネル9の中央部分は分岐して、第2電気プラント空洞の下側坑道29を形成し、第2電気プラント空洞2の端壁と連結される。第2主通行トンネル9は、第1原子炉プラント空洞1の側壁下側及び第1圧力開放空洞7の下側と、第1原子炉プラント空洞の下側坑道21及び第1圧力開放空洞の下側坑道25夫々を介して連結される。第3主通行トンネル10は、第2原子炉プラント空洞1の側壁下側及び第2圧力開放空洞7の下側と、第2原子炉プラント空洞の下側坑道26及び第2圧力開放空洞の下側坑道27夫々を介して連結される。第1主通行トンネル8は、2個の連結された結合空洞の一端に載置される第1安全プラント空洞3の側壁下側と、第1結合空洞端部の下側坑道22を介して連結される。第2電気プラント空洞の下側坑道29は、2個の連結された結合空洞の中間部分に載置された原子力補助プラント空洞6の側壁下側と、2個の連結された結合空洞の中間部分の下側坑道24を介して連結される。第2圧力開放空洞の下側坑道27は、2個の連結された結合空洞の他端に載置された原子力補助プラント空洞6の側壁下側と、第2結合空洞端部の下側坑道28を介して連結される。下側坑道システムの各下側坑道は、15%よりも小さい長手状傾斜を有しており、無軌道搬送の要件が満たされる。
【００２４】
2個の原子炉プラント空洞1各々は、地表と連通している一次蒸気管路11を介して、対応する電気プラント空洞2と連通する。2個の原子炉プラント空洞1には、地表と連通している対応する機器搬送管路12が設けられる。一次蒸気管路11及び機器搬送管路12は任意で、建設用管路として構成される。
【００２５】
本実施形態の地下原子力発電所は、2個原子炉型のCUP600配置を適用する。鉱石立坑法を採用して、地下プラント空洞の採掘を構成し、即ち、採掘を上側作用面上で構成し、スラグを下側作用面から、スラグ排出立坑を介して排出する。鉱石立坑法は、最小の建設管路により、建設要件を満たすものである。従って、プラント空洞と連通するような下側坑道システム及び上側坑道システムの設計を必要とするだけである。下側坑道が第1主通行トンネル8、第2主通行トンネル9、第3主通行トンネル10に基づく分岐配置とされ、上側坑道が第1主坑道41、第2主坑道31、第3主坑道32、第4主坑道33に基づく分岐配置とされることにより、計画建設の計画量を減らすことができるという利点がある。下側坑道システム及び上側坑道システムは、隣接する空洞から一定の距離だけ離れており、空洞群の安定性と安全性が保証される。掘削される坑道が少なく、掘削距離が短く、坑道と空洞の間の空間が適当であることから、費用が節約されるとともに、計画全体が安全である。2個原子炉型のCUP600配置におけるプラント空洞は、モジュール化構成を採用しているので、モジュール化構成は本発明の構成で実現化され、詳細には以下のとおりである。
【００２６】
永久管路として使用される第1主通行トンネル8、第2主通行トンネル9、第3主通行トンネル10、及び任意で管路として使用される一次蒸気管路11は、高度±0のところに全て配置されており、プラント空洞の下側高度と大きく異なる。例えば、原子炉プラント空洞1の下側高度は-9.0mであり、結合空洞の下側高度は-12.5mであり、電気プラント空洞2の下側高度は-12.5mであり、圧力開放空洞の下側高度は+20.0mである。それ故、永久管路として使用される第1主通行トンネル8、第2主通行トンネル9、第3主通行トンネル10と、任意で管路として使用される一次蒸気管路11は、水平面或いは垂直面のいずれかで直接利用することはできない。空洞の下側からの採掘スラグ排出要件を満たすために、下側坑道を空洞下側に配置する必要がある。一方、山の掘削率を減少させ、空洞の安定性に悪影響を及ぼす要因を減らし、また下側坑道に対する費用を低減させるために、主下側坑道は独立設計されないが、永久管路として使用される第1主通行トンネル8、第2主通行トンネル9及び第3主通行トンネル10を完全利用するとともに、分岐させて、下側坑道21、22、23、24、25、26、27、28を形成して、空洞の下側高度に到達させる。圧力開放空洞7及び主通行トンネルの間の高度差は20mに達するので、適切な傾斜を有する下側坑道を配置することは難しく、そのため、第1圧力開放空洞の下側坑道25及び第2圧力開放空洞の下側坑道27を圧力開放空洞7の軸と水平方向に連結させ、次に、垂直スラグ排出立坑を配置することにより、圧力開放空洞7の下側と連結させる。下側立坑の傾斜を全て15%よりも小さく、無軌道搬送要件が満たされる。
【００２７】
プラント空洞の上側高度は高く、また、互いに異なる。例えば、原子炉プラント空洞1の上側高度は+78.0mであり、結合空洞の上側高度は+57.85mであり、電気プラント空洞2の上側高度は+46.8mであり、圧力開放空洞の上側高度は+62.0mであることから、永久管路としての第1主通行トンネル8、第2主通行トンネル9、第3主通行トンネル10は、水平面又は垂直面のいずれかで直接利用され得ない。また、機器搬送管路12の高度は+20.0mであり、空洞の高度と大きく異なることから、上側坑道を、各空洞の上側アーチのスキューバック又は端壁と連結させるように構成する必要がある。原子炉プラント空洞1の上側アーチが最も高く、垂直面又は水平面のいずれかで、その他の空洞と共通の建設管路を共有することはできないので、第1主坑道41を独立して設計するとともに分岐させて、原子炉プラント空洞の上側坑道42及び上側坑道43を形成し、高度+65.0mの対応する原子炉プラント空洞1の上側アーチのスキューバックと連結させる。結合空洞、電気プラント空洞２、及び圧力開放空洞7は夫々の上側高度が異なるが、垂直面における最大高さの差は相対的に小さく、3種類の空洞は、第3主坑道32及び第4主坑道33を共有する。第3主坑道32及び第4主坑道33は分岐して、電気プラント空洞の上側坑道34、第1圧力開放空洞の上側坑道35、及び第2圧力開放空洞の上側坑道36を形成する。電気プラント空洞の上側坑道34、第1圧力開放空洞の上側坑道35、第2圧力開放空洞の上側坑道36、第2主坑道31は、空洞のスキューバックの高度と連結する。第2主坑道31、第3主坑道32、第4主坑道33は、高度+48.0mの結合空洞の上側アーチの端壁と連結する。第3主坑道32は分岐して、電気プラント空洞の上側坑道34を形成し、高度+37.0mの電気プラント空洞2の上側アーチの端壁と連結される。第3主坑道32及び第4主坑道33は分岐して、第1圧力開放空洞の上側坑道35及び第2圧力開放空洞の上側坑道36を形成し、高度+52.0mの圧力開放空洞7の上側アーチのスキューバックに到達する。結合空洞各々は4個のプラントを含むとともに、各結合空洞の軸は相対的に長いので、第2主坑道31、第3主坑道32、第4主坑道33、第1結合空洞の端部分の下側坑道22、2個の連結された結合空洞の中間部分の下側坑道24、下側坑道28は特に、作用面を強化し、建設期間を調和させ、スキューバックの支持を促すことにより、スキューバックの建設期間における安定性及び安全性が保証されるように配置される。上側坑道の傾斜は全て9%よりも小さく、無軌道搬送要件が満たされる。
【００２８】
本発明の詳細な実施形態を図示及び説明してきたが、当該技術分野に属する者であれば、本発明のより広範な態様において、本発明から逸脱することなく、変更、変形が行われてよいことは明らかである。従って、添付の請求の範囲は、そのような変更や変形全てを、本発明の真の主旨や範囲に含むことを目的とする。
【００２９】
本明細書に詳述されていない内容については、当該技術分野の通常の知識を有するものにとっては、従来技術である。
【符号の説明】
【００３０】
１    原子炉プラント空洞
２    電気プラント空洞
３    第1安全プラント空洞
４    核燃料プラント空洞
５    第2安全プラント空洞
６    原子力補助プラント空洞
７    圧力開放空洞
８    第1主通行トンネル
９    第2主通行トンネル
１０  第3主通行トンネル
１１  一次蒸気管路
１２  機器搬送管路
１３  二次通行トンネル
１４  側方通行トンネル
２１  第1原子炉プラント空洞の下側坑道
２２  第1結合空洞の端部分の下側坑道
２３  第1電気プラント空洞の下側坑道
２４  2個の連結された結合空洞の中間部分の下側坑道
２５  第1圧力開放空洞の下側坑道
２６  第2原子炉プラント空洞の下側坑道
２７  第2圧力開放空洞の下側坑道
２８  第2結合空洞の端部の下側坑道
２９  第2電気プラント空洞の下側坑道
３１  第2主坑道
３２  第3主坑道
３３  第4主坑道
３４  電気プラント空洞の上側坑道
３５  第1圧力開放空洞の上側坑道
３６  第2圧力開放空洞の上側坑道
４１  第1主坑道
４２  第1原子炉プラント空洞の上側坑道
４３  第2原子炉プラント空洞の上側坑道
【図１】
0006280290.tif 000002
【図２】
0006280290.tif 000003
【図３】
0006280290.tif 000004